(57)【要約】【課題】ガラス瓶１などの脆弱物を収納する包装容器１０において、包装容器の底部に設けられ、内容物を安定保持するとともに外部からの衝撃力を吸収するための緩衝安定部材２０を包装容器１０と一体的に形成する。【解決手段】包装容器１０の底面をなす第１部分２１ａ〜２４ａ及び緩衝安定部材２０をなす第２部分２１ｂ〜２４ｂからなるフラップ２１〜２４を、包装容器１０の各側壁部１１〜１４の同一側の辺から延長されるように形成し、第１部分２１ａ〜２４ａを同一方向に折り曲げ重ね合わせることにより底面を形成し、さらに第２部分２１ｂ〜２４ｂをそれぞれ同一方向で、かつ包装容器１０の内側に折り曲げることによりガラス瓶１の底部を安定して保持するための緩衝安定部材２０を一体的に形成する。【選択図】　図１
2004067167.tif 000002
【特許請求の範囲】
【請求項１】
展開された状態で１枚の板状をなし、所定の折り曲げ線に沿って折り曲げ、側壁部をなす１辺をそれに対向する側壁部に接合することにより箱体をなす包装容器であって、
前記箱体の底面をなす第１部分及び緩衝安定部材をなす第２部分からなるフラップを前記箱体の各側壁部の同一側の辺から延長されるように形成し、前記第１部分を同一方向に折り曲げ、各フラップの第１部分の少なくとも一部を他のフラップの第１部分に重ね合わせることにより前記箱体の底面を形成し、さらに前記各フラップの第２部分をそれぞれ同一方向で、かつ前記箱体の内側に折り曲げることにより内容物の底部を安定して保持するための緩衝安定部材を一体的に形成したことを特徴とする緩衝安定部材を備えた包装容器。
【請求項２】
前記箱体の底面は略正方形であり、前記各フラップの第１部分は略直角二等辺三角形であり、前記各フラップの第２部分の一部分は、包装容器に収容される内容物の形状の一部分と略同形状であることを特徴とする請求項１記載の緩衝安定部材を備えた包装容器。
【請求項３】
前記各フラップの第２部分の少なくとも一部分を所定の折り曲げ線に沿って折り曲げて重ね、前記緩衝安定部材の補強とすることを特徴とする請求項１又は請求項２記載の緩衝安定部材を備えた包装容器。
【発明の詳細な説明】
【０００１】
【発明の属する技術分野】
本発明は、例えば液体を入れたガラス瓶などの脆弱な内容物を収納する箱状の包装容器に関する。
【０００２】
【従来の技術】
従来から、ガラス瓶などの脆弱な内容物、いわゆる割れ物の包装容器として、例えば特公昭５７−２５９０号公報に記載されているように、直方体状の箱体の内部に、段ボール紙や発泡スチロールなどで形成された緩衝安定部材を併用したものが知られている。
【０００３】
【発明が解決しようとする課題】
一般的に、ガラス瓶などの包装容器として使用される段ボール紙製の箱体などは、使用前には折りたたんだ状態で保管されたり、取引される。また、内容物を取り出した後の包装容器は、リサイクルが容易になるように、リサイクル可能な部分とそうでない部分に分別し、かつ容積が小さくなるように折りたたんで処理される。
【０００４】
ところが、従来の包装容器の構成によれば、緩衝安定部材を別体としていることから、使用前の保管及び取引時には、折りたたんだ箱体とは別に、緩衝安定部材を別途保管しなければならなかった。また使用後は、箱体を折りたたんだ後、緩衝安定部材が残り、これらを別途処分しなければならない。
【０００５】
緩衝安定部材は、内容物の荷重を支えるとともに、輸送時の衝撃に耐える必要がある。そのため、緩衝安定部材が段ボール紙で形成されている場合には、複数回折りたたんで強度を持たせている。ところが、緩衝安定部材を展開しても箱体よりも小さく、かつ箱体とは形状がまったく異なるため、箱体と緩衝安定部材を束ねて処理することは困難であり、緩衝安定部材のみを別途焼却処分することが少なくない。一方、緩衝安定部材が発泡スチロールで形成されている場合、小さく裁断して廃棄処理するしかなかった。
【０００６】
本発明は、上記従来例の問題点を解決するためになされたものであり、１枚のボール紙を折りたたんで形成される箱状の包装容器であって、その内部に一体的に形成された緩衝安定部材を備えた包装容器を提供することを目的としている。
【０００７】
【課題を解決するための手段】
上記目的を達成するため、本発明の緩衝安定部材を備えた包装容器は、展開された状態で１枚の板状をなし、所定の折り曲げ線に沿って折り曲げ、側壁部をなす１辺をそれに対向する側壁部に接合することにより箱体をなす包装容器であって、前記箱体の底面をなす第１部分及び緩衝安定部材をなす第２部分からなるフラップを前記箱体の各側壁部の同一側の辺から延長されるように形成し、前記第１部分を同一方向に折り曲げ、各フラップの第１部分の少なくとも一部を他のフラップの第１部分に重ね合わせることにより前記箱体の底面を形成し、さらに前記各フラップの第２部分をそれぞれ同一方向で、かつ前記箱体の内側に折り曲げることにより内容物の底部を安定して保持するための緩衝安定部材を一体的に形成したことを特徴とする。
【０００８】
このような構成によれば、緩衝安定部材が箱体の側壁部とともに一体的に形成されているので、従来は別体とされていた緩衝安定部材を用意する必要がなくなり、また使用前及び使用後に包装容器を折りたたんだ状態で保管し、取引し及びリサイクルすることが可能となる。
【０００９】
上記構成において、前記箱体の底面は略正方形であり、前記各フラップの第１部分は略直角二等辺三角形であり、前記各フラップの第２部分の一部分は、包装容器に収容される内容物の形状の一部分と略同形状であることが好ましい。
【００１０】
このような構成によれば、箱体を組み立てた状態で底部が２重構造となり、強度を高くすることができる。また、緩衝安定部材となる第２部分が内容物の形状の一部分と略同一形状であるので、その部分で内容物と密着し、内容物を安定して保持することができる。さらに、外部から衝撃力が加えられた場合には、緩衝安定部材が変形することによって衝撃力を吸収し、内容物が破損する可能性を低減することができる。
【００１１】
また、前記各フラップの第２部分の少なくとも一部分を所定の折り曲げ線に沿って折り曲げて重ね、前記緩衝安定部材の補強とすることが好ましい。
【００１２】
このような構成によれば、緩衝安定部材の少なくとも一部分を２重構造とすることができ、緩衝安定部材の強度を高くすることができる。
【００１３】
【発明の実施の形態】
（第１実施形態）
本発明の緩衝安定部材を備えた包装容器の第１実施形態について、図１〜図５を参照しつつ説明する。
【００１４】
図１は内容物であるガラス瓶１を収納する前の状態における包装容器１０の内部の緩衝安定部材２０の構成を示す図であり、図２はガラス瓶１を包装容器１０の内部に収納した状態を示す図である。
【００１５】
第１実施形態における包装容器１０は、断面が略正方形の箱体であって、例えば断面が円形のガラス瓶１などの脆弱物の収納に適するものであり、その底部に、収納物であるガラス瓶１を安定して保持するための（下部）緩衝安定部材２０が一体的に形成されている。第１実施形態によれば、ガラス瓶１の底部の外周面が、緩衝安定部材２０の縦壁部２０Ａ及び底壁部２０Ｂにより保持される。
【００１６】
図３は原材料である段ボール紙を所定形状に打ち抜いた状態、図４は緩衝安定部材２０となる部分を補強のために折り曲げた状態、図５は側壁部１１に形成されたのりしろ１５を他の側壁部１４に接着した状態（保管状態）を示す。
【００１７】
図３に示すように、包装容器１０は、１枚の段ボール紙を所定形状に打ち抜き、図中破線で示す折り曲げ線に沿って折り曲げることにより、略直方体の箱体に形成される。箱体を構成する側壁部１１〜１４のうち、１の側壁部１１の１辺（折り曲げ線）１１ａに隣接して、他の側壁部１４に接着されるのりしろ１５が突出するように形成されている。
【００１８】
各側壁部１１〜１４の各辺のうち、のりしろ１５が形成されている辺１１ａに直交する辺１１ｂ〜１４ｂからは、包装容器１０（箱体）の底面をなす第１部分２１ａ〜２４ａ及び緩衝安定部材２０をなす第２部分２１ｂ〜２４ｂからなるフラップ２１〜２４が、各側壁部１１〜１４を延長するような形で形成されている。
【００１９】
第１部分２１ａ〜２４ａは、それぞれ略２等辺三角形をしており、辺（折り曲げ線）１１ｂ〜１４ｂに沿って内側に折り曲げられる（谷折り）。周知のように、箱体の底となる第１部分２１ａ〜２４ａを略二等辺三角形とし、内側に折り曲げることにより、略直方体の箱体を形成した段階で、各第１部分２１ａ〜２４ａの半分が他の第１部分２１ａ〜２４ａの半分と重なることになり、実質的に底の部分の紙厚が二重になり、強度が向上する。
【００２０】
第２部分２１ｂ〜２４ｂは、折り曲げ線２１ｃ〜２４ｃに対してほぼ対称形に形成されている。第２部分２１ｂ〜２４ｂを折り曲げ線２１ｃ〜２４ｃに沿って内に折り曲げて重ねる（谷折り）ことにより、実質的に緩衝安定部材２０の部分の紙厚が二重になり、強度が向上する。図４はこの状態を示したものである。また、折り曲げ線２１ｃ〜２４ｃに沿って折り重ねられた第２部分２１ｂ〜２４ｂを、折り曲げ線２１ｄ〜２４ｄに沿って内側に折り曲げる（谷折り）ことにより、折り重ねられた第２部分２１ｂ〜２４ｂ、すなわち緩衝安定部材２０を組み立てられた包装容器（箱体）１０の内側に形成することができる。
【００２１】
第２部分２１ｂ〜２４ｂは、図４に示すように折り重ねた状態で、包装容器（箱体）１０の内側に突出する部分の稜線の形状の一部分（符号Ａで示す部分）が、内容物であるガラス瓶１の底部の形状の一部（例えば底部のＲ形状）とほぼ一致するように形成されている。すなわち、緩衝安定部材２０は、内容物であるガラス瓶１の底部に密着して安定して保持するとともに、例えば輸送中に外部から衝撃が加えられた場合に、緩衝安定部材２０自体が変形することにより衝撃力を吸収し、ガラス瓶１の破損を防止する。
【００２２】
この包装容器１０の製造手順としては、まずブランクの段ボール紙を図３に示す形状に打ち抜くとともに、破線で示すように所定の折り曲げ線をプレスしておく。次に、図４に示すように、フラップ２１〜２４の第２部分２１ｂ〜２４ｂを折り曲げ線２１ｃ〜２４ｃに沿って折り重ね、必要に応じて折り重ね部分を接着しておく。さらに、折り曲げ線１３ａに沿って側壁部１１〜１４の部分を２つ折りし、のりしろ１５を側壁部１４に接着する。これにより、図５に示すように、包装容器１０の組み立て前の保管状態が完成する。通常は、この状態で包装容器１０自体の保管及び取引がなされる。
【００２３】
包装容器１０を必要とするユーザは、図５に示すように、２つ折りにされた側壁部１１〜１４部分を膨らまし、折り曲げ線１２ａ及び１４ａを谷折りして、包装容器１０の断面を略正方形にする。さらに、あらかじめ折り重ねられているフラップ２１〜２４の第２部分２１ｂ〜２４ｂを折り曲げ線２１ｄ〜２４ｄに沿って谷折りしながら、第１部分２１ａ〜２４ａを折り曲げ線１１ｂ〜１４ｂに沿って谷折りし、包装容器（箱体）１０の底部を形成する。この状態が図１に相当する。
【００２４】
なお、図１９に示すように、包装容器１０の上部（蓋部）近傍にも、ガラス瓶１上部の直径が細くなった部分に嵌合してガラス瓶１の上部を安定して保持するための略円形開口を有する上部緩衝安定部材２５を一体的に設けてもよい（以下の実施形態でも同様である）。
【００２５】
（第２実施形態）
次に、本発明の緩衝安定部材を備えた包装容器の第２実施形態について、図６〜図８を参照しつつ説明する。上記第１実施形態では、緩衝安定部材２０の全体について紙厚が２重になるように構成したが、第２実施形態では、緩衝安定部材２０のうち、内容物であるガラス瓶１の荷重を支える部分のみについて紙厚を２重とし、その他の部分の紙厚を１重としたものである。
【００２６】
図６は原材料である段ボール紙を所定形状に打ち抜いた状態、図７は緩衝安定部材２０となる部分の一部を補強のために折り曲げた状態、図８は側壁部１１に形成されたのりしろ１５を他の側壁部１４に接着した状態（保管状態）を示す。各図に示すように、第２部分２１ｂ’〜２４ｂ’は、折り曲げ線２１ｃ’〜２４ｃ’に沿って一部分のみ（符号Ｂで示す部分）が折り曲げ可能である。
【００２７】
第１実施形態における図３と第２実施形態における図６とを比較して分かるように、緩衝安定部材２０となるためのフラップ２１〜２４の第２部分２１ｂ〜２４ｂの幅は、側壁部１１〜１４の辺１１ｂ〜１４ｂの長さよりも短くなければならない。側壁部１１〜１４の辺１１ｂ〜１４ｂの長さは、包装容器１０に収納される内容物の形状により長くなる場合もあるが、一般的には、緩衝安定部材２０となるためのフラップ２１〜２４の第２部分２１ｂ〜２４ｂの幅をそれほど大きくすることはできない。そのため、緩衝安定部材２０の全体について紙厚を２重にする場合は、緩衝安定部材２０の形状を大きくしたり、複雑にすることができない。換言すれば、緩衝安定部材２０の形状を大きくしたり、複雑にする必要がある場合には、緩衝安定部材２０の全体について紙厚を２重にすることができず、部分的にしか紙厚を２重にできない。このような場合、第２実施形態のように内容物の荷重を受ける部分のみについて紙厚を２重とすることにより、緩衝安定部材２０は、内容物の底部に密着して安定して保持するとともに、外部から衝力を吸収し、内容物の破損を防止することができる。
【００２８】
（第３実施形態）
次に、本発明の緩衝安定部材を備えた包装容器の第３実施形態について、図９〜図１３を参照しつつ説明する。上記第１実施形態では、包装容器の内容物として、比較的簡単な（平凡な）形状のガラス瓶（例えばビール瓶や一升瓶など）を対象としたが、第３実施形態では、例えばワイン瓶のような比較的複雑な（特殊な）形状の内容物を対象としている。
【００２９】
例えばワイン瓶の場合、瓶詰めしてから長期間保存する間に生ずる「おり」などを沈殿させるために、瓶の底部の中央が周辺部よりも高くなるように（底側から見ると中央が窪んでいるように）形成されている。このような複雑な形状のガラス瓶の場合、例えばその回転対称軸を含む断面の形状が滑らかではなく、面が急角度で曲がっている箇所が見られる。このようなガラス瓶に外部から衝撃力が加えられると、面の変局部分に応力が集中し、底からガラス瓶が破断する虞がある。
【００３０】
第３実施形態では、ワイン瓶のような比較的複雑な（特殊な）形状の内容物の底部に対して複数の部分で密着して安定して保持するために、緩衝安定部材２０の複数の部分を内容物の形状と略同一形状としたものである。
【００３１】
図９は内容物であるワイン瓶２を収納する前の状態における包装容器１０の内部の緩衝安定部材２０の構成を示す図であり、図１０はワイン瓶２を包装容器１０の内部に収納した状態を示す図である。
【００３２】
第１実施形態における図１及び図２と第３実施形態における図９及び図１０を比較して分かるように、第３実施形態の緩衝安定部材２０には、ワイン瓶２の底から見て底部中央に形成された窪みに当接する突部２０Ｘが形成されている。第３実施形態によれば、ワイン瓶２の底部の外周面が、第１実施形態の場合と同様に、緩衝安定部材２０の縦壁部２０Ａ及び底壁部２０Ｂにより保持されるとともに、ワイン瓶２の底部の窪みが突部２０Ｘにより保持される。
【００３３】
図１１は原材料である段ボール紙を所定形状に打ち抜いた状態、図１２は緩衝安定部材２０となる部分を補強のために折り曲げた状態、図１３は側壁部１１に形成されたのりしろ１５を他の側壁部１４に接着した状態（保管状態）を示す。
【００３４】
第１実施形態における図３〜図５と第３実施形態における図１１〜図１３を比較すると、フラップ２１〜２４の第２部分２１ｂ〜２４ｂのうち、包装容器（箱体）１０の内側に突出する部分の稜線の形状（図１２中、符号Ｃで示す部分）が異なるだけであり、包装容器１０の製造手順は第１実施形態の場合と同様である。なお、第３実施形態では、内容物であるワイン瓶２の荷重を受ける部分に突部２０Ｘを形成しているが、第２実施形態の場合とは折り曲げ線が異なるが、折り曲げ線２１ｃ〜２４ｃに沿って一部分のみを折り曲げるようにしてもよい。
【００３５】
（第４実施形態）
上記第１〜３実施形態では、フラップ２１〜２４の第２部分２１ｂ〜２４ｂを折り曲げ線２１ｃ〜２４ｃに沿って折り重ね、必要に応じて折り重ね部分を接着するように説明したが、図１４〜図１８に示す第４実施形態では、フラップ２１〜２４の第２部分２１ｂ〜２４ｂのうち、折り曲げ線２１ｃ〜２４ｃに沿って折り重ねられる一方の部分に開口２０Ｆを形成し、他方の部分に開口２０Ｆと係合する爪２０Ｇを設け、第２部分２１ｂ〜２４ｂを折り曲げ線２１ｃ〜２４ｃに沿って折り重ねた状態で、爪２０Ｇを開口２０Ｆに係合させるように構成している。第４実施形態の構成によれば、接着工程を省略することができる。
【００３６】
（その他の実施形態）
上記各実施形態では、フラップ２１〜２４の第２部分２１ｂ〜２４ｂを折り曲げ線２１ｃ〜２４ｃに沿って折り重ね、必要に応じて折り重ね部分を接着するか、または爪を開口に係合させ、折り重ね部分が密着するように構成したが、本発明はこれに限定されるものではなく、単に折り重ねただけであってもよい。あるいは、包装容器１０の材料となる段ボール紙などの紙厚と内容物の重量に応じて、緩衝安定部材２０全体を１重とし、フラップ２１〜２４の第２部分２１ｂ〜２４ｂの一部または全体を２重構造としなくてもよい。
【００３７】
また、上記各実施形態では、のりしろ１５を側壁部１４に接着するように説明したが、本発明はこれに限定されるものではなく、のりしろ１５をステープルなどにより側壁部１４に結合してもよい。また、包装容器（箱体）１０の断面形状は、略正方形に限定されず、長方形やその他の形状（多角形に限定されない）であってもよい。また、包装容器１０の材料は段ボール紙に限定されず、通常のボール紙などであってもよい。また、包装容器に収納される内容物がガラス瓶に限定されず、ガラス製品、陶器、磁器などの衝撃に弱く脆弱な物の他、樹脂製品や金属製品など脆弱でないものであってもよい。
【００３８】
【発明の効果】
以上説明したように、本発明の緩衝安定部材を備えた包装容器によれば、箱体の底面をなす第１部分及び緩衝安定部材をなす第２部分からなるフラップを、箱体の各側壁部の同一側の辺から延長されるように形成し、第１部分を同一方向に折り曲げ、各フラップの第１部分の少なくとも一部を他のフラップの第１部分に重ね合わせることにより箱体の底面を形成し、さらに各フラップの第２部分をそれぞれ同一方向で、かつ箱体の内側に折り曲げることにより内容物の底部を安定して保持するための緩衝安定部材を一体的に形成するので、別途段ボール紙や発泡スチロールなどで形成した緩衝安定部材を用意する必要がなく、使用前の包装容器の保管及び取引が容易になるとともに、使用後の包装容器のリサイクルも容易になる。
【図面の簡単な説明】
【図１】本発明の第１実施形態における緩衝安定部材を備えた包装容器の内容物であるガラス瓶を収納する前の状態における構成を示す斜視図。
【図２】第１実施形態におけるガラス瓶を包装容器の内部に収納した状態を示す斜視図。
【図３】第１実施形態における包装容器を原材料である段ボール紙から所定形状に打ち抜いた状態を示す展開図。
【図４】第１実施形態において、緩衝安定部材となる部分を補強のために折り曲げた状態を示す展開図。
【図５】第１実施形態において、包装容器を折りたたんだ保管状態を示す平面図。
【図６】本発明の第２実施形態における緩衝安定部材を備えた包装容器を原材料である段ボール紙を所定形状に打ち抜いた状態を示す展開図。
【図７】第２実施形態において、緩衝安定部材となる部分を補強のために折り曲げた状態を示す展開図。
【図８】第２実施形態において、包装容器を折りたたんだ保管状態を示す平面図。
【図９】本発明の第３実施形態における緩衝安定部材を備えた包装容器の内容物であるガラス瓶を収納する前の状態における構成を示す斜視図。
【図１０】第３実施形態において、ガラス瓶を包装容器の内部に収納した状態を示す斜視図。
【図１１】第３実施形態における包装容器を原材料である段ボール紙を所定形状に打ち抜いた状態を示す展開図。
【図１２】第３実施形態において、緩衝安定部材となる部分を補強のために折り曲げた状態を示す展開図。
【図１３】第３実施形態において、包装容器を折りたたんだ保管状態を示す平面図。
【図１４】本発明の第４実施形態における緩衝安定部材を備えた包装容器の内容物であるガラス瓶を収納する前の状態における構成を示す斜視図。
【図１５】第４実施形態において、ガラス瓶を包装容器の内部に収納した状態を示す斜視図。
【図１６】第４実施形態における包装容器を原材料である段ボール紙を所定形状に打ち抜いた状態を示す展開図。
【図１７】第４実施形態において、緩衝安定部材となる部分を補強のために折り曲げた状態を示す展開図。
【図１８】第４実施形態において、包装容器を折りたたんだ保管状態を示す平面図。
【図１９】包装容器の上部近傍に上部緩衝安定部材を一体的に設けた例を示す斜視図。
【符号の説明】
１：ガラス瓶（内容物）
２：ワイン瓶（内容物）
１０：包装容器（箱体）
１１〜１４：側壁部
１５：のりしろ
１１ａ〜１４ａ：折り曲げ線
１１ｂ〜１４ｂ：側壁部の辺（折り曲げ線）
２０：緩衝安定部材
２０Ａ：縦壁部
２０Ｂ：底壁部
２０Ｘ：突部
２１〜２４：フラップ
２１ａ〜２４ａ：（フラップの）第１部分
２１ｂ〜２４ｂ：（フラップの）第２部分
２１ｂ’〜２４ｂ’：（フラップの）第２部分
２１ｃ〜２４ｃ：折り曲げ線
２１ｃ’〜２４ｃ’：折り曲げ線
２１ｄ〜２４ｄ：折り曲げ線
【図１】
2004067167.tif 000003
【図２】
2004067167.tif 000004
【図３】
2004067167.tif 000005
【図４】
2004067167.tif 000006
【図５】
2004067167.tif 000007
【図６】
2004067167.tif 000008
【図７】
2004067167.tif 000009
【図８】
2004067167.tif 000010
【図９】
2004067167.tif 000011
【図１０】
2004067167.tif 000012
【図１１】
2004067167.tif 000013
【図１２】
2004067167.tif 000014
【図１３】
2004067167.tif 000015
【図１４】
2004067167.tif 000016
【図１５】
2004067167.tif 000017
【図１６】
2004067167.tif 000018
【図１７】
2004067167.tif 000019
【図１８】
2004067167.tif 000020
【図１９】
2004067167.tif 000021